(57)【特許請求の範囲】
【請求項１】
ショットを上方へ搬送するショットブラスト装置用バケットエレベータにおけるプ−リ機構であって、
円筒状を成しかつ胴部に複数のショット排出孔と複数の締付け具用孔を有する母体と、
この母体内にこれと同心して一体的に固着されかつこれの長手方向に指向する支持軸用嵌着孔を有するボス部と、
彎曲した板状を成して前記母体の胴部外面に着脱可能に取り付けられかつショット排出孔と複数の締付け具用孔を有する複数の支持部材と、
これら複数の支持部材の各外面に少なくとも前記ショット排出孔と連通する凹みを形成するようにして固着されかつ弾性を有する板状のライナと、
前記母体および前記支持部材の締付け具用孔を貫通して装着され前記母体および前記支持部材を締め付けて前記母体と前記支持部材とを一体化させる締付け手段と、
を備えたことを特徴とするショットブラスト装置用バケットエレベータのプ−リ機構。
【請求項２】
請求項１に記載のショットブラスト装置用バケットエレベ−タのプ−リ機構において、
前記複数の支持部材は、適宜の間隔をおいてまたはほぼ連結させて取り付けたことを特徴とするショットブラスト装置用バケットエレベ−タのプ−リ機構。
【請求項３】
請求項１または２に記載のショットブラスト装置用バケットエレベ−タのプ−リ機構において、
前記ライナはゴム製または合成樹脂製であることを特徴とするショットブラスト装置用バケットエレベ−タのプ−リ機構。
【請求項４】
請求項１〜３のうちいずれか１項に記載のショットブラスト装置用バケットエレベ−タのプ−リ機構において、
前記ライナは帯状を成しかつ前記母体の中央付近に配置されるものが断面山形状を成すことを特徴とするショットブラスト装置用バケットエレベ−タのプ−リ機構。
【請求項５】
請求項１〜４のうちいずれか１項に記載のショットブラスト装置用バケットエレベ−タのプ−リ機構において、
前記ショット排出孔と前記締付け具用孔は共通することを特徴とするショットブラスト装置用バケットエレベ−タのプ−リ機構。
【発明の詳細な説明】
【０００１】
【発明の属する技術分野】
本発明は、ショットを上方へ搬送するショットブラスト装置用バケットエレベ−タにおけるプ−リ機構の改良に関する。
【０００２】
【従来の技術】
一般に、従来のショットブラスト装置においては、投射装置によって投射されたショットを、ショットブラスト装置の下部に設けられたスクリュ−コンベアで回収して一カ所に集めた後、ショットブラスト装置の上部に設けられたショット分離装置にバケットエレベ−タによって搬送してショットを取り出し、再び投射装置に供給してショットを循環使用するようにしている。
【特許文献１】
特開昭６２−２７７２６８号公報
【０００３】
【発明が解決しようとする課題】
しかし、このように構成された従来のバケットエレベ−タの下部に位置するプーリでは、プーリとコンベヤベルトとの間にショットが残存して、バケットエレベ−タの駆動時にコンベヤベルトがプーリに対して若干滑り、かつ、コンベヤベルトと一緒にショットが移動する。このような滑り現象が繰り返されると、プーリの胴部外面がショットによって摩擦されて早期に摩耗するなどの問題があった。しかも、摩耗したプーリの交換には手間暇がかかるなどの弊害もあった。
【０００４】
本発明は、上記の問題を解消するために成されたもので、その目的は、プーリとコンベヤベルトとの間にショットが残存してもプーリの胴部外面がショットによって摩擦されない上に、修復作業を短時間で行うことが可能なショットブラスト装置用バケットエレベ−タのプ−リ機構を提供することにある。
【０００５】
【課題を解決するための手段】
上記の目的を達成するため本発明におけるショットブラスト装置用バケットエレベータのプ−リ機構は、ショットを上方へ搬送するショットブラスト装置用バッケトエレベ−タにおけるプ−リ機構であって、円筒状を成しかつ胴部に複数のショット排出孔と複数の締付け具用孔を有する母体と、この母体内にこれと同心して一体的に固着されかつこれの長手方向に指向する支持軸用嵌着孔を有するボス部と、彎曲した板状を成して前記母体の胴部外面に着脱可能に取り付けられかつショット排出孔と複数の締付け具用孔を有するた複数の支持部材と、これら複数の支持部材の各外面に少なくとも前記ショット排出孔と連通する凹みを形成するようにして固着されかつ弾性を有する板状のライナと、前記母体および前記支持部材の締付け具用孔を貫通して装着され前記母体および前記支持部材を締め付けて前記母体と前記支持部材とを一体化させる締付け手段と、を備えたことを特徴とする。
【０００６】
このように構成されたものは、バケットエレベータを駆動すると、コンベヤベルトと支持部材との間に侵入したショットの大部分は、ショット排出孔から排出されるが、一部はライナに埋没され、かつ、ライナとコンベヤベルトとの間の摩擦力によってコンベヤベルトはプ−リ機構に対してほとんど滑らないため、プ−リ機構の胴部はショット等によって摩擦されることはない。また、プ−リ機構の支持部材が摩耗した場合には、プ−リ機構の締付け手段を緩めて取り外し、支持部材を母体から分離することにより、母体から回転軸を抜かずにライナ固着の支持部材を交換することができる。
【０００７】
【発明の実施の形態】
以下、本発明の一実施例について図１に基づき詳細に説明する。本プ−リ機構は、基幹部Ａと、この基幹部Ａに着脱可能に取り付けられる交換部Ｂとで構成してある。そして、前記基幹部Ａは、図１のイに示すように、円筒状を成しかつ胴部に複数のショット排出孔１・１と複数の締付け具用孔２・２を有する母体３と、この母体３内にこれと同心して環状の仲介部材４を介して一体的に固着されかつこれの長手方向に指向する支持軸用嵌着孔５を有するボス部６と、から成っている。
【０００８】
また、前記交換部Ｂは、図１のロに示すように、彎曲した板状を成して前記母体３の胴部外面に着脱可能に取り付けられかつショット排出孔７・７と複数の締付け具用孔８・８を有する２個の支持部材９・９と、これら２個の支持部材９・９の各外面に前記ショット排出孔７・７と連通する凹み１０を形成するようにして焼付け固着されかつ弾性を有する帯状のライナ１１・１１と、から成っている。そして、前記母体３および前記支持部材９・９は、前記締付け具用孔２・２・８・８を貫通して装着された締付け手段としてのボルト・ナット（図示せず）によって締め付けられて一体化するようになっている。
【０００９】
また、ショット排出孔１・１・７・７と締付け具用孔２・２・８・８はほぼ直線状に等間隔で並ぶようにして設けてある。また、前記前記ライナ１１・１１は、前記ショット排出孔７・７および締付け具用孔８・８を挟むようにして３個配置してあり、中央のライナ１１は断面が山形状を成している。
【００１０】
このように構成されたものは、バケットエレベータを駆動すると、コンベヤベルトと支持部材との間に侵入したショットの大部分は、凹み１０・１０を通ってショット排出孔１・１・７・７から排出されが、一部はライナ１１・１１に埋没される。その結果、
ライナ１１・１１とコンベヤベルトとの間の摩擦力によってコンベヤベルトはプ−リ機構に対してほとんど滑ることがないため、支持部材９・９はショット等によって摩擦されることはない。また、支持部材９・９やライナ１１・１１が摩耗した場合には、コンベヤベルトを緩めボルト・ナットを取り外して、ライナ１１・１１固着の支持部材９・９を母体３から取り外して交換する。
【００１１】
なお、前述の実施例では、ライナ１１・１１は環状の帯状を成しているが、これに限定されるものではなく、
ショット排出孔と締付け具用孔とを備えた板状でもよい。またなお、前述の実施例では、２分割されて成る２個の支持部材９・９をほぼ連結した構造にしてあるが、これに限定されるものではなく、他分割した２個以上の支持部材を、適宜の間隔をおいてまたはほぼ連結させて取り付けるようにしてもよい。
【００１２】
【発明の効果】
以上の説明から明らかなように本発明は、ショットを上方へ搬送するショットブラスト装置用バッケトエレベ−タにおけるプ−リ機構であって、円筒状を成しかつ胴部に複数のショット排出孔と複数の締付け具用孔を有する母体と、この母体内にこれと同心して一体的に固着されかつこれの長手方向に指向する支持軸用嵌着孔を有するボス部と、彎曲した板状を成して前記母体の胴部外面に着脱可能に取り付けられかつショット排出孔と複数の締付け具用孔を有する複数の支持部材と、これら複数の支持部材の各外面に少なくとも前記ショット排出孔と連通する凹みを形成するようにして固着されかつ弾性を有する板状のライナと、前記母体および前記支持部材の締付け具用孔を貫通して装着され前記母体および前記支持部材を締め付けて前記母体と前記支持部材とを一体化させる締付け手段と、備えたから、プーリとコンベヤベルトとの間にショットが残存してもプーリの胴部外面がショットによって摩擦されず、したがって従来のプーリに比べて寿命が大幅に延びる上に、従来のプーリに比べて修復作業を短時間で行うことが可能であるなどの優れた実用的効果を奏する。
【図面の簡単な説明】
【図１】
本発明の一実施例を示す一部断面の正面図であって、イは基幹部、ロは交換部である。
【符号の説明】
３ 母体
６ ボス部
９ 支持部材
１１ ライナ
【図１】
0003968694.tif 000002